(57)【要約】【課題】電子と陽子はビッグバンの以前にできた。中性子の寿命は887秒です。その他の素粒子も不安定です。これは、他の素粒子は恒星の中でできたからです。他の素粒子は恒星のどこの軌道でできたのか。主な重粒子の中で、陽子のラブや電子のラブはどのように活動しているのか。主な中間子の中で、電子のラブはどのように活動しているのか。【解決手段】私が、特願2006−336352に記した式により計算する。地表の電子のラブの質量を１とすると、素粒子の質量は何倍か。これがAの値であり、A2は温度になる。恒星のA2の温度の場で素粒子はできた。太陽の中心の温度は1.5×107℃であるから、A=(1.5×107)1/2=3.783×103です。A=3.783×103以上の素粒子は太陽の親である第1世代の星でできた。素粒子の陽子のラブと電子のラブの公転軌道や自転軌道を求める。1公転で作る電気の光子と磁気の光子のエネルギーや1秒間に作る電気の光子と磁気の光子のエネルギーを求める。【選択図】図１
2012147536.tif 000002
【特許請求の範囲】
【請求項１】
重粒子について。
重粒子の質量エネルギー＝重粒子の質量MeV×106÷(6.2415×1018eV)
重粒子ができた恒星の中の場のA=重粒子のエネルギー÷地表の電子のエネルギー＝重粒子のMeV÷電子のMeV＝重粒子のMeV÷(0.511MeV)
重粒子ができた恒星の中の場の温度=A2
重粒子の中の陽子のラブの公転軌道＝8.665×10−24m÷重粒子の質量エネルギー
重粒子の中の陽子のラブの自転軌道＝陽子のラブの公転軌道×3.14÷1公転するときの自転数＝8.665×10−24m÷重粒子の質量エネルギー×3.14÷(4.34×104回)＝6.269×10−28Jm÷重粒子の質量エネルギー
重粒子の中の陽子のラブが1公転で作る電気の光子と磁気の光子のエネルギー＝6.724×10−45Jm÷陽子のラブの公転軌道
重粒子の中の陽子のラブが1秒間に作る電気の光子と磁気の光子のエネルギー＝2.323×10−32Jm÷陽子のラブの公転軌道
上記の式により計算した値を表に示す。
表11
2012147536.tif 000013
表が意味する事。
Δ＋とΣ＋とΛｃ＋は電荷が＋1であり、陽子のラブが公転している。
中性子とΛとΞ0は電荷が0であり、陽子のラブと電子のラブが一緒になり公転している。
Ω−1は電荷が−1であり、外側を電子のラブが公転している。
中性子ができた恒星の中の場のAは1.839×103で、温度は3.382×106℃です。
中性子は陽子のラブと電子のラブが一緒になり、4.164×10−18m の軌道を自転しながら、5.756×10−14mの軌道を公転している。
陽子のラブは1公転で、1.168×10−31Jの電気の光子と磁気の光子を作っている。
陽子のラブは1秒間に、4.036×10−19Jの電気の光子と磁気の光子を作っている。
Δ＋ができた恒星の中の場のAは2.411×103で、温度は5.813×106℃です。
Δ＋は陽子のラブが3.176×10−18mの軌道を自転しながら、4.390×10−14mの軌道を公転している。
陽子のラブは1公転で、1.532×10−31Jの電気の光子と磁気の光子を作っている。
陽子のラブは1秒間に、5.292×10−19Jの電気の光子と磁気の光子を作っている。
Λができた恒星の中の場のAは2.183×103で、温度は4.766×106℃です。
Λは陽子のラブと電子のラブが一緒になり、3.506×10−18mの軌道を自転しながら、4.846×10−14mの軌道を公転している。
陽子のラブは1公転で、1.388×10−31Jの電気の光子と磁気の光子を作っている。
陽子のラブは1秒間に、4.794×10−19Jの電気の光子と磁気の光子を作っている。
Σ＋ができた恒星の中の場のAは2.327×103で、温度は5.414×106℃です。
Σ＋は陽子のラブが3.291×10−18mの軌道を自転しながら、4.549×10−14mの軌道を公転している。
陽子のラブは1公転で、1.478×10−31Jの電気の光子と磁気の光子を作っている。
陽子のラブは1秒間に、5.107×10−19Jの電気の光子と磁気の光子を作っている。
Ξ0ができた恒星の中の場のAは2.573×103で、温度は6.621×106℃です。
Ξ0は陽子のラブと電子のラブが一緒になり、2.975×10−18m の軌道を自転しながら、4.112×10−14mの軌道を公転している。
陽子のラブは1公転で、1.635×10−31Jの電気の光子と磁気の光子を作っている。
陽子のラブは1秒間に、5.649×10−19Jの電気の光子と磁気の光子を作っている。
Ω−ができた恒星の中の場のAは3.272×103で、温度は1.071×107℃です。
Ω−は外側を電子のラブが3.234×10−14mの軌道を自転しながら、3.234×10−14mの軌道を公転している。
陽子のラブは1公転で、2.079×10−31Jの電気の光子と磁気の光子を作っている。
陽子のラブは1秒間に、7.183×10−19Jの電気の光子と磁気の光子を作っている。
Λc＋ができた恒星の中の場のAは4.472×103で、温度は2.000×107℃です。
Λc＋は陽子のラブが1.713×10−18mの軌道を自転しながら、2.367×10−14mの軌道を公転している。
陽子のラブは1公転で、2.841×10−31Jの電気の光子と磁気の光子を作っている。
陽子のラブは1秒間に、9.814×10−19Jの電気の光子と磁気の光子を作っている。
これらの事から理解できる事。
1．重粒子は恒星の中で、ほぼ同じ軌道でできた。A=２〜４×103でできた。
2．重粒子の陽子の公転軌道はほぼ同じであり、2〜5×10−14mです。
3．重粒子の陽子の自転軌道はほぼ同じであり、2〜4×10−18mです。
4．重粒子が1公転で作る電磁気はほぼ同じであり、1〜2×10−31Jです。
5．重粒子が1秒間に作る電磁気はほぼ同じであり、4〜9×10−19Jです。
【請求項２】
中間子について。
中間子の質量エネルギー＝中間子の質量MeV×106÷(6.2415×1018eV)
中間子ができた恒星の中の場のA=中間子のエネルギー÷地表の電子のエネルギー＝中間子のMeV÷電子のMeV＝中間子のMeV÷(0.511MeV)
中間子ができた恒星の中の場の温度=A2
中間子の中の電子のラブの公転軌道＝8.665×10−24m÷中間子の質量エネルギー
中間子の中の電子のラブの自転軌道＝3.418×10−31Jm÷中間子の質量エネルギー
中間子の中の電子のラブが1公転で作る電気の光子と磁気の光子のエネルギー＝1.233×10−41Jm÷電子のラブの公転軌道
中間子の中の電子のラブが1秒間に作る電気の光子と磁気の光子のエネルギー＝7.812×10−26Jm÷電子のラブの公転軌道
上記の式により計算した値を表に示す。
表12
2012147536.tif 000014
表が意味する事。
π＋中間子ができた恒星の中の場のAは2.731×102で、温度は7.460×104℃です。
π＋中間子は電子のラブが、1.529×10−20m の軌道を自転しながら、3.875×10−13mの軌道を公転している。
電子のラブは1公転で、3.182×10−29Jの電気の光子と磁気の光子を作っている。
電子のラブは1秒間に、2.016×10−13Jの電気の光子と磁気の光子を作っている。
η中間子ができた恒星の中の場のAは1.071×103で、温度は1.147×106℃です。
η中間子は電子のラブが、3.897×10−21m の軌道を自転しながら、9.879×10−14mの軌道を公転している。
電子のラブは1公転で、1.248×10−28J の電気の光子と磁気の光子を作っている。
電子のラブは1秒間に、7.908×10−13Jの電気の光子と磁気の光子を作っている。
ρ中間子ができた恒星の中の場のAは1.505×103で、温度は2.265×106℃です。
ρ中間子は電子のラブが、2.774×10−21m の軌道を自転しながら、7.033×10−14mの軌道を公転している。
電子のラブは1公転で、1.753×10−28J の電気の光子と磁気の光子を作っている。
電子のラブは1秒間に、1.110×10−12Jの電気の光子と磁気の光子を作っている。
ω中間子ができた恒星の中の場のAは1.530×103で、温度は2.341×106℃です。
ω中間子は電子のラブが、2.728×10−21m の軌道を自転しながら、6.915×10−14mの軌道を公転している。
電子のラブは1公転で、1.783×10−28J の電気の光子と磁気の光子を作っている。
電子のラブは1秒間に、1.130×10−12Jの電気の光子と磁気の光子を作っている。
η´中間子ができた恒星の中の場のAは1.874×103で、温度は3.512×106℃です。
η´中間子は電子のラブが、 2.227×10−21mの軌道を自転しながら、5.645×10−14mの軌道を公転している。
電子のラブは1公転で、2.184×10−28J の電気の光子と磁気の光子を作っている。
電子のラブは1秒間に、1.384×10−12Jの電気の光子と磁気の光子を作っている。
φ中間子ができた恒星の中の場のAは1.995×103で、温度は3.980×106℃です。
φ中間子は電子のラブが、 2.093×10−21mの軌道を自転しながら、5.306×10−14mの軌道を公転している。
電子のラブは1公転で、2.324×10−28Jの電気の光子と磁気の光子を作っている。
電子のラブは1秒間に、1.472×10−12Jの電気の光子と磁気の光子を作っている。
K＋中間子ができた恒星の中の場のAは9.661×102で、温度は9.333×105℃です。
K＋中間子は電子のラブが、 4.322×10−21mの軌道を自転しながら、1.096×10−13mの軌道を公転している。
電子のラブは1公転で、1.125×10−28Jの電気の光子と磁気の光子を作っている。
電子のラブは1秒間に、7.128×10−13Jの電気の光子と磁気の光子を作っている。
D＋中間子ができた恒星の中の場のAは3.658×103で、温度は1.338×107℃です。
D＋中間子は電子のラブが、 1.141×10−21mの軌道を自転しながら、2.893×10−14mの軌道を公転している。
電子のラブは1公転で、4.262×10−28Jの電気の光子と磁気の光子を作っている。
電子のラブは1秒間に、2.700×10−12Jの電気の光子と磁気の光子を作っている。
B＋中間子ができた恒星の中の場のAは1.033×104で、温度は1.067×108℃です。
B＋中間子は電子のラブが、 4.042×10−22mの軌道を自転しながら、1.025×10−14mの軌道を公転している。
電子のラブは1公転で、1.203×10−27Jの電気の光子と磁気の光子を作っている。
電子のラブは1秒間に、7.621×10−12Jの電気の光子と磁気の光子を作っている。
ψ中間子ができた恒星の中の場のAは7.213×103で、温度は5.203×107℃です。
ψ中間子は電子のラブが、 5.787×10−22mの軌道を自転しながら、1.467×10−14mの軌道を公転している。
電子のラブは1公転で、8.405×10−28Jの電気の光子と磁気の光子を作っている。
電子のラブは1秒間に、5.325×10−12Jの電気の光子と磁気の光子を作っている。
【請求項３】
重粒子と中間子の比較。
重粒子の平均値と中間子の平均値。
なお、中間子の質量が重粒子の質量の平均値より大きい事はないので、B＋中間子とψ中間子と除く中間子の平均値を求め、重粒子の平均値と比較する。
表13
2012147536.tif 000015
この事によって理解できる事。
1．中間子の電子のラブの公転軌道は平均1.092×10−13mであり、重粒子の陽子のラブの公転軌道は平均4.179×10−14mである。
この事により、中間子は陽子と中性子を取り持つ素粒子になることができる。
2．重粒子が1秒間に作る磁気の光子のエネルギーは平均5.982×10−19Jであり、中間子が1秒間に作る磁気の光子のエネルギーは平均1.990×0−12Jである。重粒子の約3×106倍である。
この事により、中間子は重粒子を引きつける事ができる。
【請求項４】
重粒子と中間子は恒星のどのような場でできたか。
恒星の中心は、ブラックホールの場合と中性子星の場合である。
私は、特願2007−150959で、(星ができる前、星の中心のブラックホールは、A=7.378×105で、電子のラブの軌道は1.434×10−16mである。星ができあがった時、6.353倍に膨張し、A=7.378×105÷6.353＝1.161×105で、電子のラブの軌道は1.434×10−16m×6.353＝9.110×10−16mになる。
星ができる前、星の中心の中性子星は、A=1.968×105で、電子のラブの軌道は5.376×10−16mである。星ができあがった時、6.353倍に膨張し、A=1.968×105÷6.353＝3.098×104で、電子のラブの軌道は5.376×10−16m×6.353＝3.415×10−15mになる。)  と記した。
また、特願2007−133476で、(太陽の中心の温度は1.5×107℃であるから、A=(1.5×107)1/2=3.783×103です。太陽の親である第1世代の星の質量は、太陽の8.246倍ですから、その中心のA=3.783×103×8.246＝3.194×104です。)
この事から、
B＋中間子はA=1.033×10４ですから、太陽の親である第1世代の星の中央の中性子星に近い軌道でできた。
太陽の中央のAは3.783×103ですから、これ以上のAである素粒子は太陽の親である第1世代の星でできた。
ψ中間子のAは7.213×103ですから太陽の親である第1世代の星でできた。Λｃ＋のAは4.472×103ですから太陽の親である第1世代の星でできた。
できた場のAが3.783×103より小さい素粒子は、太陽の中心でできた。
【請求項５】
レプトンについて。
ニュートリノには、電子のラブが1秒間に作った電気の光子(7.96×107個)2と磁気の光子(7.96×107個)3が含まれている。
ニュートリノの質量エネルギー＝ニュートリノのMeV×106÷(6.2415×1018eV)
ニュートリノの中の電気の光子のエネルギー＋ニュートリノの中の磁気の光子のエネルギー＝ニュートリノの質量エネルギー
ニュートリノの中の電気の光子のエネルギー＝ニュートリノの中の磁気の光子のエネルギー＝ニュートリノの質量エネルギー÷2
ニュートリノの中の電気の光子のエネルギ−の平均値＝ニュートリノの質量エネルギー÷2÷(6.336×1015個)
ニュートリノの中の電気の光子の軌道の平均値＝1.233×10−41Jm÷ニュートリノの中の電気の光子のエネルギ−の平均値
π中間子、μ粒子、τ粒子については、中間子の式を用いる。
上記の式により計算した値を表に示す。
表14
2012147536.tif 000016
μニュートリノの場合。
μニュートリノ＝0.27MeVとする。
μニュートリノの質量エネルギー＝0.27×106eV÷(6.2415×1018eV)＝4.326×10−14J
μニュートリノの中の電気の光子のエネルギ−の平均値＝ニュートリノの質量エネルギー÷2÷(6.336×1015個)＝4.326×10−14J÷2÷(6.336×1015個)＝3.414×10−30J
μニュートリノの中の電気の光子の軌道の平均値＝1.233×10−41Jm÷ニュートリノの中の電気の光子のエネルギ−の平均値＝1.233×10−41Jm÷(3.414×10−30J)＝3.612×10−12m
μニュートリノは平均3.612×10−12mの電気の光子＋磁気の光子の輪が6.336×1015個で、1つの球体になっている。磁気の光子は螺旋状に回転している。これによりスピンは1/2になる。
即ち、π中間子は恒星の中の場のAが2.731×102で、温度が7.460×104℃の軌道でできた。
π＋中間子は電子のラブが、1.529×10−20m の軌道を自転しながら、3.875×10−13mの軌道を公転している。
電子のラブは1公転で、3.182×10−29Jの電気の光子と磁気の光子を作っている。
電子のラブは1秒間に、2.016×10−13Jの電気の光子と磁気の光子を作っている。
π中間子が崩壊するとμ粒子になる。
μ粒子の中で、電子のラブは、2.019×10−20m の軌道を自転しながら、5.118×10−13mの軌道を公転している。
電子のラブは1公転で、2.409×10−29Jの電気の光子と磁気の光子を作っている。
電子のラブは1秒間に、1.526×10−13Jの電気の光子と磁気の光子を作っている。
μ粒子が崩壊するとμニュートリノと電子になる。
μニュートリノは電子のラブが1秒間に作った電気の光子と磁気の光子が、平均軌道が3.612×10−12mになって回転している。
μニュートリノは平均3.612×10−12mの電気の光子＋磁気の光子の輪が6.336×1015個で、1つの球体になり、回転している。
π中間子の崩壊と軌道。
π中間子の電子のラブの公転軌道は3.875×10−13mです。これが崩壊し、μ粒子になる。μ粒子の電子のラブの公転軌道は5.11×10−13mであり、拡大する。μ粒子が崩壊しμニュートリノになる。μニュートリノの電気の光子の平均軌道は3.612×10−12mであり、更に拡大する。
τニュートリノの場合。
τニュートリノ＝24MeVとする。
τニュートリノの質量エネルギー＝24×106eV÷(6.2415×1018eV)＝3.845×10−12J
τニュートリノの中の電気の光子のエネルギ−の平均値＝ニュートリノの質量エネルギー÷2÷(6.336×1015個)＝3.845×10−12J÷2÷(6.336×1015個)＝3.034×10−28J
τニュートリノの中の電気の光子の軌道の平均値＝1.233×10−41Jm÷ニュートリノの電気の光子のエネルギ−の平均値＝1.233×10−41Jm÷(3.034×10−28J)＝4.064×10−14m
τニュートリノは電子のラブが1秒間に作った電気の光子と磁気の光子が、平均軌道が4.064×10−14mになって回転している。
τニュートリノは平均4.064×10−14mの電気の光子＋磁気の光子の輪が6.336×1015個で、1つの球体になり、回転している。
τ粒子の崩壊と軌道。
τ粒子の電気の光子の軌道は3.044×10−14mです。これが崩壊すると、τニュートリノになり、τニュートリノの平均軌道は4.064×10―14mとなり拡大している。
表15
2012147536.tif 000017
【発明の詳細な説明】
【技術分野】
【０００１】
本発明は主なバリオン及び主なメソン及び主なレプトンの生成と性質に関する。
【背景技術】
【０００２】
陽子の寿命は1032年より永い。電子は安定している。中性子の寿命は887秒です。私は、電子の中に非常に小さい物が存在する。その名を電子のラブと名付けた。陽子の中に非常に小さい物が存在する。その名を陽子のラブと名付けた。電子と陽子はビッグバンの以前にできた。それで、電子と陽子は安定です。
【先行技術文献】
【特許文献】
【０００３】
【特許文献１】特願２００５−２９２９４５
【特許文献２】特願２００６−２０２５６０
【特許文献３】特願２００６−２９３２８１
【特許文献４】特願２００６−３３６３５２
【特許文献５】特願２００９−２１８１９２
【特許文献６】特願２０１０−１７３２３８
【特許文献７】特願２０１０−１８５７２７
【特許文献８】特願２０１０−２６９４１５
【発明の概要】
【発明が解決しようとする課題】
【０００４】
解決しようとする問題点は、陽子の寿命は1032年より永く、電子は安定しているのに対し、他の重粒子や中間子は寿命が短く不安定である。これは、寿命の短い素粒子は中性子と同じように恒星の中でできたからです。それでは、主な重粒子と主な中間子は恒星のどのような場でできたのか。主な重粒子の中で、陽子のラブはどのように活動しているのか。主な中間子の中で電子のラブはどのように活動しているのか。
【課題を解決するための手段】
【０００５】
計算式の全ては、特願２００６−３３６３５２に記した式により計算する。
・重粒子の場合。
重粒子の質量エネルギー＝重粒子の質量MeV×106÷(6.2415×1018eV)
重粒子ができた恒星の中の場のA=重粒子のエネルギー÷地表の電子のエネルギー＝重粒子のMeV÷電子のMeV＝重粒子のMeV÷(0.511MeV)
重粒子ができた恒星の中の場の温度=A2
重粒子の中の陽子のラブの公転軌道＝8.665×10−24m÷重粒子の質量エネルギー
重粒子の中の陽子のラブの自転軌道＝陽子のラブの公転軌道×3.14÷1公転するときの自転数＝8.665×10−24m÷重粒子の質量エネルギー×3.14÷(4.34×104回)＝6.269×10−28Jm÷重粒子の質量エネルギー
重粒子の中の陽子のラブが1公転で作る電気の光子と磁気の光子のエネルギー＝6.724×10−45Jm÷陽子のラブの公転軌道
重粒子の中の陽子のラブが1秒間に作る電気の光子と磁気の光子のエネルギー＝陽子のラブが1公転で作る電気の光子と磁気の光子のエネルギー×1秒間の公転数＝6.724×10−45Jm÷陽子のラブの公転軌道×(4.34×104回)×7.96×10７＝2.323×10−32Jm÷陽子のラブの公転軌道
・中間子の場合。
中間子の質量エネルギー＝中間子の質量MeV×106÷(6.2415×1018eV)
中間子ができた恒星の中の場のA=中間子のエネルギー÷地表の電子のエネルギー＝中間子のMeV÷電子のMeV＝中間子のMeV÷(0.511MeV)
中間子ができた恒星の中の場の温度=A2
中間子の中の電子のラブの公転軌道＝8.665×10−24m÷中間子の質量エネルギー
中間子の中の電子のラブの自転軌道＝電子のラブの公転軌道×3.14÷1公転するときの自転数＝8.665×10−24m÷中間子の質量エネルギー×3.14÷(7.96×107)＝3.418×10−31Jm÷中間子の質量エネルギー
中間子の中の電子のラブが1公転で作る電気の光子と磁気の光子のエネルギー＝1.233×10−41Jm÷電子のラブの公転軌道
中間子の中の電子のラブが1秒間に作る電気の光子と磁気の光子のエネルギー＝1.233×10−41Jm÷電子のラブの公転軌道×(7.96×10７)2＝7.812×10−26Jm÷電子のラブの公転軌道
・ニュートリノの場合。
ニュートリノには、電子のラブが1秒間に作った電気の光子(7.96×107個)2と磁気の光子(7.96×107個)3が含まれている。
ニュートリノの質量エネルギー＝ニュートリノのMeV×106÷(6.2415×1018eV)
ニュートリノの中の電気の光子のエネルギー＋ニュートリノの中の磁気の光子のエネルギー＝ニュートリノの質量エネルギー
ニュートリノの中の電気の光子のエネルギー＝ニュートリノの中の磁気の光子のエネルギー＝ニュートリノの質量エネルギー÷2
ニュートリノの中の電気の光子のエネルギ−の平均値＝ニュートリノの質量エネルギー÷2÷(6.336×1015個)
ニュートリノの中の電気の光子の軌道の平均値＝1.233×10−41Jm÷ニュートリノの中の電気の光子のエネルギ−の平均値
これらの式により、素粒子ができた恒星の中の場のAと温度を求める。
素粒子の中で活躍している電子のラブと陽子のラブの様子を理解する。
【発明の効果】
【０００６】
次の事が理解できた。
１．重粒子について。
重粒子の質量エネルギー＝重粒子の質量MeV×106÷(6.2415×1018eV)
重粒子ができた恒星の中の場のA=重粒子のエネルギー÷地表の電子のエネルギー＝重粒子のMeV÷電子のMeV＝重粒子のMeV÷(0.511MeV)
重粒子ができた恒星の中の場の温度=A2
重粒子の中の陽子のラブの公転軌道＝8.665×10−24m÷重粒子の質量エネルギー
重粒子の中の陽子のラブの自転軌道＝陽子のラブの公転軌道×3.14÷1公転するときの自転数＝8.665×10−24m÷重粒子の質量エネルギー×3.14÷(4.34×104回)＝6.269×10−28Jm÷重粒子の質量エネルギー
重粒子の中の陽子のラブが1公転で作る電気の光子と磁気の光子のエネルギー＝6.724×10−45Jm÷陽子のラブの公転軌道
重粒子の中の陽子のラブが1秒間に作る電気の光子と磁気の光子のエネルギー＝2.323×10−32Jm÷陽子のラブの公転軌道
上記の式により計算した値を表に示す。
表1
2012147536.tif 000003
表が意味する事。
Δ＋とΣ＋とΛｃ＋は電荷が＋1であり、陽子のラブが公転している。
中性子とΛとΞ0は電荷が0であり、陽子のラブと電子のラブが一緒になり公転している。
Ω−1は電荷が−1であり、外側を電子のラブが公転している。
中性子ができた恒星の中の場のAは1.839×103で、温度は3.382×106℃です。
中性子は陽子のラブと電子のラブが一緒になり、4.164×10−18m の軌道を自転しながら、5.756×10−14mの軌道を公転している。
陽子のラブは1公転で、1.168×10−31Jの電気の光子と磁気の光子を作っている。
陽子のラブは1秒間に、4.036×10−19Jの電気の光子と磁気の光子を作っている。
Δ＋ができた恒星の中の場のAは2.411×103で、温度は5.813×106℃です。
Δ＋は陽子のラブが3.176×10−18mの軌道を自転しながら、4.390×10−14mの軌道を公転している。
陽子のラブは1公転で、1.532×10−31Jの電気の光子と磁気の光子を作っている。
陽子のラブは1秒間に、5.292×10−19Jの電気の光子と磁気の光子を作っている。
Λができた恒星の中の場のAは2.183×103で、温度は4.766×106℃です。
Λは陽子のラブと電子のラブが一緒になり、3.506×10−18mの軌道を自転しながら、4.846×10−14mの軌道を公転している。
陽子のラブは1公転で、1.388×10−31Jの電気の光子と磁気の光子を作っている。
陽子のラブは1秒間に、4.794×10−19Jの電気の光子と磁気の光子を作っている。
Σ＋ができた恒星の中の場のAは2.327×103で、温度は5.414×106℃です。
Σ＋は陽子のラブが3.291×10−18mの軌道を自転しながら、4.549×10−14mの軌道を公転している。
陽子のラブは1公転で、1.478×10−31Jの電気の光子と磁気の光子を作っている。
陽子のラブは1秒間に、5.107×10−19Jの電気の光子と磁気の光子を作っている。
Ξ0ができた恒星の中の場のAは2.573×103で、温度は6.621×106℃です。
Ξ0は陽子のラブと電子のラブが一緒になり、2.975×10−18m の軌道を自転しながら、4.112×10−14mの軌道を公転している。
陽子のラブは1公転で、1.635×10−31Jの電気の光子と磁気の光子を作っている。
陽子のラブは1秒間に、5.649×10−19Jの電気の光子と磁気の光子を作っている。
Ω−ができた恒星の中の場のAは3.272×103で、温度は1.071×107℃です。
Ω−は外側を電子のラブが3.234×10−14mの軌道を自転しながら、3.234×10−14mの軌道を公転している。
陽子のラブは1公転で、2.079×10−31Jの電気の光子と磁気の光子を作っている。
陽子のラブは1秒間に、7.183×10−19Jの電気の光子と磁気の光子を作っている。
Λc＋ができた恒星の中の場のAは4.472×103で、温度は2.000×107℃です。
Λc＋は陽子のラブが1.713×10−18mの軌道を自転しながら、2.367×10−14mの軌道を公転している。
陽子のラブは1公転で、2.841×10−31Jの電気の光子と磁気の光子を作っている。
陽子のラブは1秒間に、9.814×10−19Jの電気の光子と磁気の光子を作っている。
これらの事から理解できる事。
1．重粒子は恒星の中で、ほぼ同じ軌道でできた。A=２〜４×103でできた。
2．重粒子の陽子の公転軌道はほぼ同じであり、2〜5×10−14mです。
3．重粒子の陽子の自転軌道はほぼ同じであり、2〜4×10−18mです。
4．重粒子が1公転で作る電磁気はほぼ同じであり、1〜2×10−31Jです。
5．重粒子が1秒間に作る電磁気はほぼ同じであり、4〜9×10−19Jです。
２．中間子について。
中間子の質量エネルギー＝中間子の質量MeV×106÷(6.2415×1018eV)
中間子ができた恒星の中の場のA=中間子のエネルギー÷地表の電子のエネルギー＝中間子のMeV÷電子のMeV＝中間子のMeV÷(0.511MeV)
中間子ができた恒星の中の場の温度=A2
中間子の中の電子のラブの公転軌道＝8.665×10−24m÷中間子の質量エネルギー
中間子の中の電子のラブの自転軌道＝3.418×10−31Jm÷中間子の質量エネルギー
中間子の中の電子のラブが1公転で作る電気の光子と磁気の光子のエネルギー＝1.233×10−41Jm÷電子のラブの公転軌道
中間子の中の電子のラブが1秒間に作る電気の光子と磁気の光子のエネルギー＝7.812×10−26Jm÷電子のラブの公転軌道
上記の式により計算した値を表に示す。
表2
2012147536.tif 000004
表が意味する事。
π＋中間子ができた恒星の中の場のAは2.731×102で、温度は7.460×104℃です。
π＋中間子は電子のラブが、1.529×10−20m の軌道を自転しながら、3.875×10−13mの軌道を公転している。
電子のラブは1公転で、3.182×10−29Jの電気の光子と磁気の光子を作っている。
電子のラブは1秒間に、2.016×10−13Jの電気の光子と磁気の光子を作っている。
η中間子ができた恒星の中の場のAは1.071×103で、温度は1.147×106℃です。
η中間子は電子のラブが、3.897×10−21m の軌道を自転しながら、9.879×10−14mの軌道を公転している。
電子のラブは1公転で、1.248×10−28J の電気の光子と磁気の光子を作っている。
電子のラブは1秒間に、7.908×10−13Jの電気の光子と磁気の光子を作っている。
ρ中間子ができた恒星の中の場のAは1.505×103で、温度は2.265×106℃です。
ρ中間子は電子のラブが、2.774×10−21m の軌道を自転しながら、7.033×10−14mの軌道を公転している。
電子のラブは1公転で、1.753×10−28J の電気の光子と磁気の光子を作っている。
電子のラブは1秒間に、1.110×10−12Jの電気の光子と磁気の光子を作っている。
ω中間子ができた恒星の中の場のAは1.530×103で、温度は2.341×106℃です。
ω中間子は電子のラブが、2.728×10−21m の軌道を自転しながら、6.915×10−14mの軌道を公転している。
電子のラブは1公転で、1.783×10−28J の電気の光子と磁気の光子を作っている。
電子のラブは1秒間に、1.130×10−12Jの電気の光子と磁気の光子を作っている。
η´中間子ができた恒星の中の場のAは1.874×103で、温度は3.512×106℃です。
η´中間子は電子のラブが、 2.227×10−21mの軌道を自転しながら、5.645×10−14mの軌道を公転している。
電子のラブは1公転で、2.184×10−28J の電気の光子と磁気の光子を作っている。
電子のラブは1秒間に、1.384×10−12Jの電気の光子と磁気の光子を作っている。
φ中間子ができた恒星の中の場のAは1.995×103で、温度は3.980×106℃です。
φ中間子は電子のラブが、 2.093×10−21mの軌道を自転しながら、5.306×10−14mの軌道を公転している。
電子のラブは1公転で、2.324×10−28Jの電気の光子と磁気の光子を作っている。
電子のラブは1秒間に、1.472×10−12Jの電気の光子と磁気の光子を作っている。
K＋中間子ができた恒星の中の場のAは9.661×102で、温度は9.333×105℃です。
K＋中間子は電子のラブが、 4.322×10−21mの軌道を自転しながら、1.096×10−13mの軌道を公転している。
電子のラブは1公転で、1.125×10−28Jの電気の光子と磁気の光子を作っている。
電子のラブは1秒間に、7.128×10−13Jの電気の光子と磁気の光子を作っている。
D＋中間子ができた恒星の中の場のAは3.658×103で、温度は1.338×107℃です。
D＋中間子は電子のラブが、 1.141×10−21mの軌道を自転しながら、2.893×10−14mの軌道を公転している。
電子のラブは1公転で、4.262×10−28Jの電気の光子と磁気の光子を作っている。
電子のラブは1秒間に、2.700×10−12Jの電気の光子と磁気の光子を作っている。
B＋中間子ができた恒星の中の場のAは1.033×104で、温度は1.067×108℃です。
B＋中間子は電子のラブが、 4.042×10−22mの軌道を自転しながら、1.025×10−14mの軌道を公転している。
電子のラブは1公転で、1.203×10−27Jの電気の光子と磁気の光子を作っている。
電子のラブは1秒間に、7.621×10−12Jの電気の光子と磁気の光子を作っている。
ψ中間子ができた恒星の中の場のAは7.213×103で、温度は5.203×107℃です。
ψ中間子は電子のラブが、 5.787×10−22mの軌道を自転しながら、1.467×10−14mの軌道を公転している。
電子のラブは1公転で、8.405×10−28Jの電気の光子と磁気の光子を作っている。
電子のラブは1秒間に、5.325×10−12Jの電気の光子と磁気の光子を作っている。
３．重粒子と中間子の比較。
重粒子の平均値と中間子の平均値。
なお、中間子の質量が重粒子の質量の平均値より大きい事はないので、B＋中間子とψ中間子と除く中間子の平均値を求め、重粒子の平均値と比較する。
表３
2012147536.tif 000005
この事によって理解できる事。
1．中間子の電子のラブの公転軌道は平均1.092×10−13mであり、重粒子の陽子のラブの公転軌道は平均4.179×10−14mである。
この事により、中間子は陽子と中性子を取り持つ素粒子になることができる。
2．重粒子が1秒間に作る磁気の光子のエネルギーは平均5.982×10−19Jであり、中間子が1秒間に作る磁気の光子のエネルギーは平均1.990×0−12Jである。重粒子の約3×106倍である。
この事により、中間子は重粒子を引きつける事ができる。
４．重粒子と中間子は恒星のどのような場でできたか。
恒星の中心は、ブラックホールの場合と中性子星の場合である。
私は、特願2007−150959で、(星ができる前、星の中心のブラックホールは、A=7.378×105で、電子のラブの軌道は1.434×10−16mである。星ができあがった時、6.353倍に膨張し、A=7.378×105÷6.353＝1.161×105で、電子のラブの軌道は1.434×10−16m×6.353＝9.110×10−16mになる。
星ができる前、星の中心の中性子星は、A=1.968×105で、電子のラブの軌道は5.376×10−16mである。星ができあがった時、6.353倍に膨張し、A=1.968×105÷6.353＝3.098×104で、電子のラブの軌道は5.376×10−16m×6.353＝3.415×10−15mになる。)  と記した。
また、特願2007−133476で、(太陽の中心の温度は1.5×107℃であるから、A=(1.5×107)1/2=3.783×103です。太陽の親である第1世代の星の質量は、太陽の8.246倍ですから、その中心のA=3.783×103×8.246＝3.194×104です。)
この事から、
B＋中間子はA=1.033×10４ですから、太陽の親である第1世代の星の中央の中性子星に近い軌道でできた。
太陽の中央のAは3.783×103ですから、これ以上のAである素粒子は太陽の親である第1世代の星でできた。
ψ中間子のAは7.213×103ですから太陽の親である第1世代の星でできた。Λｃ＋のAは4.472×103ですから太陽の親である第1世代の星でできた。
できた場のAが3.783×103より小さい素粒子は、太陽の中心でできた。
５．レプトンについて。
ニュートリノには、電子のラブが1秒間に作った電気の光子(7.96×107個)2と磁気の光子(7.96×107個)3が含まれている。
ニュートリノの質量エネルギー＝ニュートリノのMeV×106÷(6.2415×1018eV)
ニュートリノの中の電気の光子のエネルギー＋ニュートリノの中の磁気の光子のエネルギー＝ニュートリノの質量エネルギー
ニュートリノの中の電気の光子のエネルギー＝ニュートリノの中の磁気の光子のエネルギー＝ニュートリノの質量エネルギー÷2
ニュートリノの中の電気の光子のエネルギ−の平均値＝ニュートリノの質量エネルギー÷2÷(6.336×1015個)
ニュートリノの中の電気の光子の軌道の平均値＝1.233×10−41Jm÷ニュートリノの中の電気の光子のエネルギ−の平均値
π中間子、μ粒子、τ粒子については、中間子の式を用いる。
上記の式により計算した値を表に示す。
表4
2012147536.tif 000006
μニュートリノの場合。
μニュートリノ＝0.27MeVとする。
μニュートリノの質量エネルギー＝0.27×106eV÷(6.2415×1018eV)＝4.326×10−14J
μニュートリノの中の電気の光子のエネルギ−の平均値＝ニュートリノの質量エネルギー÷2÷(6.336×1015個)＝4.326×10−14J÷2÷(6.336×1015個)＝3.414×10−30J
μニュートリノの中の電気の光子の軌道の平均値＝1.233×10−41Jm÷ニュートリノの中の電気の光子のエネルギ−の平均値＝1.233×10−41Jm÷(3.414×10−30J)＝3.612×10−12m
μニュートリノは平均3.612×10−12mの電気の光子＋磁気の光子の輪が6.336×1015個で、1つの球体になっている。磁気の光子は螺旋状に回転している。これによりスピンは1/2になる。
即ち、π中間子は恒星の中の場のAが2.731×102で、温度が7.460×104℃の軌道でできた。
π＋中間子は電子のラブが、1.529×10−20m の軌道を自転しながら、3.875×10−13mの軌道を公転している。
電子のラブは1公転で、3.182×10−29Jの電気の光子と磁気の光子を作っている。
電子のラブは1秒間に、2.016×10−13Jの電気の光子と磁気の光子を作っている。
π中間子が崩壊するとμ粒子になる。
μ粒子の中で、電子のラブは、2.019×10−20m の軌道を自転しながら、5.118×10−13mの軌道を公転している。
電子のラブは1公転で、2.409×10−29Jの電気の光子と磁気の光子を作っている。
電子のラブは1秒間に、1.526×10−13Jの電気の光子と磁気の光子を作っている。
μ粒子が崩壊するとμニュートリノと電子になる。
μニュートリノは電子のラブが1秒間に作った電気の光子と磁気の光子が、平均軌道が3.612×10−12mになって回転している。
μニュートリノは平均3.612×10−12mの電気の光子＋磁気の光子の輪が6.336×1015個で、1つの球体になり、回転している。
π中間子の崩壊と軌道。
π中間子の電子のラブの公転軌道は3.875×10−13mです。これが崩壊し、μ粒子になる。μ粒子の電子のラブの公転軌道は5.11×10−13mであり、拡大する。μ粒子が崩壊しμニュートリノになる。μニュートリノの電気の光子の平均軌道は3.612×10−12mであり、更に拡大する。
τニュートリノの場合。
τニュートリノ＝24MeVとする。
τニュートリノの質量エネルギー＝24×106eV÷(6.2415×1018eV)＝3.845×10−12J
τニュートリノの中の電気の光子のエネルギ−の平均値＝ニュートリノの質量エネルギー÷2÷(6.336×1015個)＝3.845×10−12J÷2÷(6.336×1015個)＝3.034×10−28J
τニュートリノの中の電気の光子の軌道の平均値＝1.233×10−41Jm÷ニュートリノの電気の光子のエネルギ−の平均値＝1.233×10−41Jm÷(3.034×10−28J)＝4.064×10−14m
τニュートリノは電子のラブが1秒間に作った電気の光子と磁気の光子が、平均軌道が4.064×10−14mになって回転している。
τニュートリノは平均4.064×10−14mの電気の光子＋磁気の光子の輪が6.336×1015個で、1つの球体になり、回転している。
τ粒子の崩壊と軌道。
τ粒子の電気の光子の軌道は3.044×10−14mです。これが崩壊すると、τニュートリノになり、τニュートリノの平均軌道は4.064×10―14mとなり拡大している。
表5
2012147536.tif 000007
【図面の簡単な説明】
【０００７】
【図１】太陽の中央のAは3.783×103ですから、これ以上のAである素粒子は太陽の親である第1世代の星でできた。B＋中間子のAは1.033×10４で、ψ中間子のAは7.213×103で、Λｃ＋のAは4.472×103ですから太陽の親である第1世代の星でできた。できた場のAが3.783×103より小さい素粒子は、太陽の中心でできた。
【図２】中間子の電子のラブの公転軌道の範囲は、1.025×10−14mから3.875×10−13mまでです。重粒子の陽子のラブの公転軌道は2.367×10−14mから5.758×10−14mまでです。
【図３】π中間子の崩壊と軌道について。π中間子の電子のラブの公転軌道は3.875×10−13mです。μ粒子の電子のラブの公転軌道は5.118×10−13mです。μニュートリノの電気の光子の平均軌道は3.612×10−12mです。軌道は拡大する。
【発明を実施するための形態】
【０００８】
１．重粒子について。
重粒子の質量エネルギー＝重粒子の質量MeV×106÷(6.2415×1018eV)
重粒子ができた恒星の中の場のA=重粒子のエネルギー÷地表の電子のエネルギー＝重粒子のMeV÷電子のMeV＝重粒子のMeV÷(0.511MeV)
重粒子ができた恒星の中の場の温度=A2
重粒子の中の陽子のラブの公転軌道＝8.665×10−24m÷重粒子の質量エネルギー
重粒子の中の陽子のラブの自転軌道＝陽子のラブの公転軌道×3.14÷1公転するときの自転数＝8.665×10−24m÷重粒子の質量エネルギー×3.14÷(4.34×104回)＝6.269×10−28Jm÷重粒子の質量エネルギー
重粒子の中の陽子のラブが1公転で作る電気の光子と磁気の光子のエネルギー＝6.724×10−45Jm÷陽子のラブの公転軌道
重粒子の中の陽子のラブが1秒間に作る電気の光子と磁気の光子のエネルギー＝2.323×10−32Jm÷陽子のラブの公転軌道
上記の式により計算した値を表に示す。
表6
2012147536.tif 000008
表が意味する事。
Δ＋とΣ＋とΛｃ＋は電荷が＋1であり、陽子のラブが公転している。
中性子とΛとΞ0は電荷が0であり、陽子のラブと電子のラブが一緒になり公転している。
Ω−1は電荷が−1であり、外側を電子のラブが公転している。
中性子ができた恒星の中の場のAは1.839×103で、温度は3.382×106℃です。
中性子は陽子のラブと電子のラブが一緒になり、4.164×10−18m の軌道を自転しながら、5.756×10−14mの軌道を公転している。
陽子のラブは1公転で、1.168×10−31Jの電気の光子と磁気の光子を作っている。
陽子のラブは1秒間に、4.036×10−19Jの電気の光子と磁気の光子を作っている。
Δ＋ができた恒星の中の場のAは2.411×103で、温度は5.813×106℃です。
Δ＋は陽子のラブが3.176×10−18mの軌道を自転しながら、4.390×10−14mの軌道を公転している。
陽子のラブは1公転で、1.532×10−31Jの電気の光子と磁気の光子を作っている。
陽子のラブは1秒間に、5.292×10−19Jの電気の光子と磁気の光子を作っている。
Λができた恒星の中の場のAは2.183×103で、温度は4.766×106℃です。
Λは陽子のラブと電子のラブが一緒になり、3.506×10−18mの軌道を自転しながら、4.846×10−14mの軌道を公転している。
陽子のラブは1公転で、1.388×10−31Jの電気の光子と磁気の光子を作っている。
陽子のラブは1秒間に、4.794×10−19Jの電気の光子と磁気の光子を作っている。
Σ＋ができた恒星の中の場のAは2.327×103で、温度は5.414×106℃です。
Σ＋は陽子のラブが3.291×10−18mの軌道を自転しながら、4.549×10−14mの軌道を公転している。
陽子のラブは1公転で、1.478×10−31Jの電気の光子と磁気の光子を作っている。
陽子のラブは1秒間に、5.107×10−19Jの電気の光子と磁気の光子を作っている。
Ξ0ができた恒星の中の場のAは2.573×103で、温度は6.621×106℃です。
Ξ0は陽子のラブと電子のラブが一緒になり、2.975×10−18m の軌道を自転しながら、4.112×10−14mの軌道を公転している。
陽子のラブは1公転で、1.635×10−31Jの電気の光子と磁気の光子を作っている。
陽子のラブは1秒間に、5.649×10−19Jの電気の光子と磁気の光子を作っている。
Ω−ができた恒星の中の場のAは3.272×103で、温度は1.071×107℃です。
Ω−は外側を電子のラブが3.234×10−14mの軌道を自転しながら、3.234×10−14mの軌道を公転している。
陽子のラブは1公転で、2.079×10−31Jの電気の光子と磁気の光子を作っている。
陽子のラブは1秒間に、7.183×10−19Jの電気の光子と磁気の光子を作っている。
Λc＋ができた恒星の中の場のAは4.472×103で、温度は2.000×107℃です。
Λc＋は陽子のラブが1.713×10−18mの軌道を自転しながら、2.367×10−14mの軌道を公転している。
陽子のラブは1公転で、2.841×10−31Jの電気の光子と磁気の光子を作っている。
陽子のラブは1秒間に、9.814×10−19Jの電気の光子と磁気の光子を作っている。
これらの事から理解できる事。
1．重粒子は恒星の中で、ほぼ同じ軌道でできた。A=２〜４×103でできた。
2．重粒子の陽子の公転軌道はほぼ同じであり、2〜5×10−14mです。
3．重粒子の陽子の自転軌道はほぼ同じであり、2〜4×10−18mです。
4．重粒子が1公転で作る電磁気はほぼ同じであり、1〜2×10−31Jです。
5．重粒子が1秒間に作る電磁気はほぼ同じであり、4〜9×10−19Jです。
２．中間子について。
中間子の質量エネルギー＝中間子の質量MeV×106÷(6.2415×1018eV)
中間子ができた恒星の中の場のA=中間子のエネルギー÷地表の電子のエネルギー＝中間子のMeV÷電子のMeV＝中間子のMeV÷(0.511MeV)
中間子ができた恒星の中の場の温度=A2
中間子の中の電子のラブの公転軌道＝8.665×10−24m÷中間子の質量エネルギー
中間子の中の電子のラブの自転軌道＝3.418×10−31Jm÷中間子の質量エネルギー
中間子の中の電子のラブが1公転で作る電気の光子と磁気の光子のエネルギー＝1.233×10−41Jm÷電子のラブの公転軌道
中間子の中の電子のラブが1秒間に作る電気の光子と磁気の光子のエネルギー＝7.812×10−26Jm÷電子のラブの公転軌道
上記の式により計算した値を表に示す。
表7
2012147536.tif 000009
表が意味する事。
π＋中間子ができた恒星の中の場のAは2.731×102で、温度は7.460×104℃です。
π＋中間子は電子のラブが、1.529×10−20m の軌道を自転しながら、3.875×10−13mの軌道を公転している。
電子のラブは1公転で、3.182×10−29Jの電気の光子と磁気の光子を作っている。
電子のラブは1秒間に、2.016×10−13Jの電気の光子と磁気の光子を作っている。
η中間子ができた恒星の中の場のAは1.071×103で、温度は1.147×106℃です。
η中間子は電子のラブが、3.897×10−21m の軌道を自転しながら、9.879×10−14mの軌道を公転している。
電子のラブは1公転で、1.248×10−28J の電気の光子と磁気の光子を作っている。
電子のラブは1秒間に、7.908×10−13Jの電気の光子と磁気の光子を作っている。
ρ中間子ができた恒星の中の場のAは1.505×103で、温度は2.265×106℃です。
ρ中間子は電子のラブが、2.774×10−21m の軌道を自転しながら、7.033×10−14mの軌道を公転している。
電子のラブは1公転で、1.753×10−28J の電気の光子と磁気の光子を作っている。
電子のラブは1秒間に、1.110×10−12Jの電気の光子と磁気の光子を作っている。
ω中間子ができた恒星の中の場のAは1.530×103で、温度は2.341×106℃です。
ω中間子は電子のラブが、2.728×10−21m の軌道を自転しながら、6.915×10−14mの軌道を公転している。
電子のラブは1公転で、1.783×10−28J の電気の光子と磁気の光子を作っている。
電子のラブは1秒間に、1.130×10−12Jの電気の光子と磁気の光子を作っている。
η´中間子ができた恒星の中の場のAは1.874×103で、温度は3.512×106℃です。
η´中間子は電子のラブが、 2.227×10−21mの軌道を自転しながら、5.645×10−14mの軌道を公転している。
電子のラブは1公転で、2.184×10−28J の電気の光子と磁気の光子を作っている。
電子のラブは1秒間に、1.384×10−12Jの電気の光子と磁気の光子を作っている。
φ中間子ができた恒星の中の場のAは1.995×103で、温度は3.980×106℃です。
φ中間子は電子のラブが、 2.093×10−21mの軌道を自転しながら、5.306×10−14mの軌道を公転している。
電子のラブは1公転で、2.324×10−28Jの電気の光子と磁気の光子を作っている。
電子のラブは1秒間に、1.472×10−12Jの電気の光子と磁気の光子を作っている。
K＋中間子ができた恒星の中の場のAは9.661×102で、温度は9.333×105℃です。
K＋中間子は電子のラブが、 4.322×10−21mの軌道を自転しながら、1.096×10−13mの軌道を公転している。
電子のラブは1公転で、1.125×10−28Jの電気の光子と磁気の光子を作っている。
電子のラブは1秒間に、7.128×10−13Jの電気の光子と磁気の光子を作っている。
D＋中間子ができた恒星の中の場のAは3.658×103で、温度は1.338×107℃です。
D＋中間子は電子のラブが、 1.141×10−21mの軌道を自転しながら、2.893×10−14mの軌道を公転している。
電子のラブは1公転で、4.262×10−28Jの電気の光子と磁気の光子を作っている。
電子のラブは1秒間に、2.700×10−12Jの電気の光子と磁気の光子を作っている。
B＋中間子ができた恒星の中の場のAは1.033×104で、温度は1.067×108℃です。
B＋中間子は電子のラブが、 4.042×10−22mの軌道を自転しながら、1.025×10−14mの軌道を公転している。
電子のラブは1公転で、1.203×10−27Jの電気の光子と磁気の光子を作っている。
電子のラブは1秒間に、7.621×10−12Jの電気の光子と磁気の光子を作っている。
ψ中間子ができた恒星の中の場のAは7.213×103で、温度は5.203×107℃です。
ψ中間子は電子のラブが、 5.787×10−22mの軌道を自転しながら、1.467×10−14mの軌道を公転している。
電子のラブは1公転で、8.405×10−28Jの電気の光子と磁気の光子を作っている。
電子のラブは1秒間に、5.325×10−12Jの電気の光子と磁気の光子を作っている。
３．重粒子と中間子の比較。
重粒子の平均値と中間子の平均値。
なお、中間子の質量が重粒子の質量の平均値より大きい事はないので、B＋中間子とψ中間子と除く中間子の平均値を求め、重粒子の平均値と比較する。
表8
2012147536.tif 000010
この事によって理解できる事。
1．中間子の電子のラブの公転軌道は平均1.092×10−13mであり、重粒子の陽子のラブの公転軌道は平均4.179×10−14mである。
この事により、中間子は陽子と中性子を取り持つ素粒子になることができる。
2．重粒子が1秒間に作る磁気の光子のエネルギーは平均5.982×10−19Jであり、中間子が1秒間に作る磁気の光子のエネルギーは平均1.990×0−12Jである。重粒子の約3×106倍である。
この事により、中間子は重粒子を引きつける事ができる。
４．重粒子と中間子は恒星のどのような場でできたか。
恒星の中心は、ブラックホールの場合と中性子星の場合である。
私は、特願2007−150959で、(星ができる前、星の中心のブラックホールは、A=7.378×105で、電子のラブの軌道は1.434×10−16mである。星ができあがった時、6.353倍に膨張し、A=7.378×105÷6.353＝1.161×105で、電子のラブの軌道は1.434×10−16m×6.353＝9.110×10−16mになる。
星ができる前、星の中心の中性子星は、A=1.968×105で、電子のラブの軌道は5.376×10−16mである。星ができあがった時、6.353倍に膨張し、A=1.968×105÷6.353＝3.098×104で、電子のラブの軌道は5.376×10−16m×6.353＝3.415×10−15mになる。)  と記した。
また、特願2007−133476で、(太陽の中心の温度は1.5×107℃であるから、A=(1.5×107)1/2=3.783×103です。太陽の親である第1世代の星の質量は、太陽の8.246倍ですから、その中心のA=3.783×103×8.246＝3.194×104です。)
この事から、
B＋中間子はA=1.033×10４ですから、太陽の親である第1世代の星の中央の中性子星に近い軌道でできた。
太陽の中央のAは3.783×103ですから、これ以上のAである素粒子は太陽の親である第1世代の星でできた。
ψ中間子のAは7.213×103ですから太陽の親である第1世代の星でできた。Λｃ＋のAは4.472×103ですから太陽の親である第1世代の星でできた。
できた場のAが3.783×103より小さい素粒子は、太陽の中心でできた。
５．レプトンについて。
ニュートリノには、電子のラブが1秒間に作った電気の光子(7.96×107個)2と磁気の光子(7.96×107個)3が含まれている。
ニュートリノの質量エネルギー＝ニュートリノのMeV×106÷(6.2415×1018eV)
ニュートリノの中の電気の光子のエネルギー＋ニュートリノの中の磁気の光子のエネルギー＝ニュートリノの質量エネルギー
ニュートリノの中の電気の光子のエネルギー＝ニュートリノの中の磁気の光子のエネルギー＝ニュートリノの質量エネルギー÷2
ニュートリノの中の電気の光子のエネルギ−の平均値＝ニュートリノの質量エネルギー÷2÷(6.336×1015個)
ニュートリノの中の電気の光子の軌道の平均値＝1.233×10−41Jm÷ニュートリノの中の電気の光子のエネルギ−の平均値
π中間子、μ粒子、τ粒子については、中間子の式を用いる。
上記の式により計算した値を表に示す。
表9
2012147536.tif 000011
μニュートリノの場合。
μニュートリノ＝0.27MeVとする。
μニュートリノの質量エネルギー＝0.27×106eV÷(6.2415×1018eV)＝4.326×10−14J
μニュートリノの中の電気の光子のエネルギ−の平均値＝ニュートリノの質量エネルギー÷2÷(6.336×1015個)＝4.326×10−14J÷2÷(6.336×1015個)＝3.414×10−30J
μニュートリノの中の電気の光子の軌道の平均値＝1.233×10−41Jm÷ニュートリノの中の電気の光子のエネルギ−の平均値＝1.233×10−41Jm÷(3.414×10−30J)＝3.612×10−12m
μニュートリノは平均3.612×10−12mの電気の光子＋磁気の光子の輪が6.336×1015個で、1つの球体になっている。磁気の光子は螺旋状に回転している。これによりスピンは1/2になる。
即ち、π中間子は恒星の中の場のAが2.731×102で、温度が7.460×104℃の軌道でできた。
π＋中間子は電子のラブが、1.529×10−20m の軌道を自転しながら、3.875×10−13mの軌道を公転している。
電子のラブは1公転で、3.182×10−29Jの電気の光子と磁気の光子を作っている。
電子のラブは1秒間に、2.016×10−13Jの電気の光子と磁気の光子を作っている。
π中間子が崩壊するとμ粒子になる。
μ粒子の中で、電子のラブは、2.019×10−20m の軌道を自転しながら、5.118×10−13mの軌道を公転している。
電子のラブは1公転で、2.409×10−29Jの電気の光子と磁気の光子を作っている。
電子のラブは1秒間に、1.526×10−13Jの電気の光子と磁気の光子を作っている。
μ粒子が崩壊するとμニュートリノと電子になる。
μニュートリノは電子のラブが1秒間に作った電気の光子と磁気の光子が、平均軌道が3.612×10−12mになって回転している。
μニュートリノは平均3.612×10−12mの電気の光子＋磁気の光子の輪が6.336×1015個で、1つの球体になり、回転している。
π中間子の崩壊と軌道。
π中間子の電子のラブの公転軌道は3.875×10−13mです。これが崩壊し、μ粒子になる。μ粒子の電子のラブの公転軌道は5.11×10−13mであり、拡大する。μ粒子が崩壊しμニュートリノになる。μニュートリノの電気の光子の平均軌道は3.612×10−12mであり、更に拡大する。
τニュートリノの場合。
τニュートリノ＝24MeVとする。
τニュートリノの質量エネルギー＝24×106eV÷(6.2415×1018eV)＝3.845×10−12J
τニュートリノの中の電気の光子のエネルギ−の平均値＝ニュートリノの質量エネルギー÷2÷(6.336×1015個)＝3.845×10−12J÷2÷(6.336×1015個)＝3.034×10−28J
τニュートリノの中の電気の光子の軌道の平均値＝1.233×10−41Jm÷ニュートリノの電気の光子のエネルギ−の平均値＝1.233×10−41Jm÷(3.034×10−28J)＝4.064×10−14m
τニュートリノは電子のラブが1秒間に作った電気の光子と磁気の光子が、平均軌道が4.064×10−14mになって回転している。
τニュートリノは平均4.064×10−14mの電気の光子＋磁気の光子の輪が6.336×1015個で、1つの球体になり、回転している。
τ粒子の崩壊と軌道。
τ粒子の電気の光子の軌道は3.044×10−14mです。これが崩壊すると、τニュートリノになり、τニュートリノの平均軌道は4.064×10―14mとなり拡大している。
表10
2012147536.tif 000012
【産業上の利用可能性】
【０００９】
素粒子について理解する事は、科学を高める。
【符号の説明】
【００１０】
１    太陽の親である第1世代の星
２    B＋中間子のAは1.033×10４
３    ψ中間子のAは7.213×103
４    Λｃ＋のAは4.472×103
５    太陽
６    Aが3.783×103より小さい素粒子ができた。
７    中間子の電子のラブの公転軌道の範囲は、1.025×10−14mから3.875×10−13mまで
８    重粒子の陽子のラブの公転軌道は2.367×10−14mから5.758×10−14mまで
９    π中間子の電子のラブの公転軌道は3.875×10−13m
１０    μ粒子の電子のラブの公転軌道は5.118×10−13m
１１    μニュートリノの電気の光子の平均軌道は3.612×10−12m
【図１】
2012147536.tif 000018
【図２】
2012147536.tif 000019
【図３】
2012147536.tif 000020
【手続補正書】
【提出日】平成23年1月17日(2011.1.17)
【手続補正１】
【補正対象書類名】特許請求の範囲
【補正対象項目名】請求項４
【補正方法】変更
【補正の内容】
【請求項４】
重粒子と中間子は恒星のどのような場でできたか。
恒星の中心は、ブラックホールの場合と中性子星の場合である。
私は、特願2007−150959で、(星ができる前、星の中心のブラックホールは、A=7.378×105で、電子のラブの軌道は1.434×10−16mである。星ができあがった時、6.353倍に膨張し、A=7.378×105÷6.353＝1.161×105で、電子のラブの軌道は1.434×10−16m×6.353＝9.110×10−16mになる。
星ができる前、星の中心の中性子星は、A=1.968×105で、電子のラブの軌道は5.376×10−16mである。星ができあがった時、6.353倍に膨張し、A=1.968×105÷6.353＝3.098×104で、電子のラブの軌道は5.376×10−16m×6.353＝3.415×10−15mになる。)  と記した。
また、特願2007−133476で、(太陽の中心の温度は1.5×107℃であるから、A=(1.5×107)1/2=3.783×103です。太陽の親である第1世代の星の質量は、太陽の8.246倍ですから、その中心のA=3.783×103×8.246＝3.194×104です。)
この事から、
B＋中間子はA=1.033×10４ですから、太陽の親である第1世代の星の中央の中性子星に近い軌道でできた。
太陽の中央のAは3.783×103ですから、これ以上のAである素粒子は太陽の親である第1世代の星でできた。
ψ中間子のAは7.213×103ですから太陽の親である第1世代の星でできた。Λｃ＋のAは4.472×103ですから太陽の親である第1世代の星でできた。
できた場のAが3.783×103より小さい素粒子は、太陽の中心でできた。
できた場のAが3.783×103より小さい素粒子は、太陽の親である第1世代の星の中でもできた。
【手続補正書】
【提出日】平成23年12月15日(2011.12.15)
【手続補正１】
【補正対象書類名】特許請求の範囲
【補正対象項目名】請求項４
【補正方法】変更
【補正の内容】
【請求項４】
重粒子と中間子は恒星のどのような場でできたか。
恒星の中心は、ブラックホールの場合と中性子星の場合である。
私は、特願2007−150959で、(星ができる前、星の中心のブラックホールは、A=7.378×105で、電子のラブの軌道は1.434×10−16mである。星ができあがった時、6.353倍に膨張し、A=7.378×105÷6.353＝1.161×105で、電子のラブの軌道は1.434×10−16m×6.353＝9.110×10−16mになる。
星ができる前、星の中心の中性子星は、A=1.968×105で、電子のラブの軌道は5.376×10−16mである。星ができあがった時、6.353倍に膨張し、A=1.968×105÷6.353＝3.098×104で、電子のラブの軌道は5.376×10−16m×6.353＝3.415×10−15mになる。)  と記した。
また、特願2007−133476で、(太陽の中心の温度は1.5×107℃であるから、A=(1.5×107)1/2=3.783×103です。太陽の親である第1世代の星の質量は、太陽の8.246倍ですから、その中心のA=3.783×103×8.246＝3.194×104です。)
この事から、
B＋中間子はA=1.033×10４ですから、太陽の親である第1世代の星の中央の中性子星に近い軌道でできた。
太陽の中央のAは3.783×103ですから、これ以上のAである素粒子は太陽の親である第1世代の星でできた。
ψ中間子のAは7.213×103ですから太陽の親である第1世代の星でできた。Λｃ＋のAは4.472×103ですから太陽の親である第1世代の星でできた。
できた場のAが3.783×103より小さい素粒子は、太陽の中心でできた。
できた場のAが3.783×103より小さい素粒子は、太陽の親である第1世代の星の中でもできた。